(57)【要約】【課題】非常通報装置をＩＳＤＮ回線に接続するためのＩＳＤＮ回線中継装置において、通報起動時にＩＳＤＮ回線が塞がっている状態から、できるだけ速やかに通報動作を実行できるようにする。【解決手段】回線捕捉検出手段で通報装置の回線捕捉が検出されたときに、ＩＳＤＮ回線の２つのＢチャネルが共に使用中と判別したときには、２つのＢチャネルのうちの少なくとも一方のＢチャネルについて、ＩＳＤＮ回線側と使用中端末側とに対してＩＳＤＮ回線交換の切断手順に従ったシーケンスを実行する。その後の通報装置の回線捕捉を回線捕捉検出手段で検出したときに、通報先への再度の発呼およびその後の通報メッセージの送出を実行するように制御する。【選択図】        図９
2004214930.tif 000002
【特許請求の範囲】
【請求項１】
ＩＳＤＮ回線網と後段のＩＳＤＮ用端末との間に設けられ、起動信号に応じて回線を捕捉し予め設定された通報先に通報メッセージを送出する通報装置を前記ＩＳＤＮ回線網に接続するための装置であって、
前記通報装置の回線捕捉を検出する回線捕捉検出手段と、
前記回線捕捉検出手段で前記通報装置の回線捕捉が検出されたときに、前記ＩＳＤＮ回線の２つのＢチャネルが共に使用中と判別したときには、前記２つのＢチャネルのうちの少なくとも一方のＢチャネルについて、前記ＩＳＤＮ回線側と使用中端末側とに対してＩＳＤＮ回線交換の切断手順に従ったシーケンスを実行し、その後の前記通報装置の回線捕捉を前記回線捕捉検出手段で検出したときに、前記発呼手段による前記通報先への再度の発呼およびその後の通報メッセージの送出を実行するように制御する制御手段と、
を備えることを特徴とするＩＳＤＮ回線中継装置。
【請求項２】
請求項１に記載のＩＳＤＮ回線中継装置において、
前記制御手段は、
前記２つのＢチャネルのうちの少なくとも一方のＢチャネルについて、前記ＩＳＤＮ回線側と使用中端末側とに対する前記ＩＳＤＮ回線交換の切断手順に従ったシーケンスを実行する前に、前記一方のＢチャネルにおいて、前記ＩＳＤＮ回線側と前記端末側とに割り込みメッセージを送出するように制御する
ことを特徴とするＩＳＤＮ回線中継装置。
【請求項３】
ＩＳＤＮ回線網と後段のＩＳＤＮ用端末との間に設けられ、起動信号に応じて回線を捕捉し予め設定された通報先に通報メッセージを送出する通報装置を前記ＩＳＤＮ回線網に接続するための装置であって、
前記通報装置の回線捕捉を検出する回線捕捉検出手段と、
前記回線捕捉検出手段で前記通報装置の回線捕捉が検出されたときに、前記ＩＳＤＮ回線の２つのＢチャネルに着信があったときには、前記２つのＢチャネルのうちの少なくとも一方のＢチャネルについて、着信を受ける端末側に解放完了メッセージを送出すると共に、前記一方のＢチャネルの着信に応答した後、当該Ｂチャネルを切断するＩＳＤＮ回線交換におけるシーケンスを実行し、その後の前記通報装置の回線捕捉を前記回線捕捉検出手段で検出したときに、前記発呼手段による前記通報先への再度の発呼およびその後の通報メッセージの送出を実行するように制御する制御手段と、
を備えることを特徴とするＩＳＤＮ回線中継装置。
【請求項４】
請求項３に記載のＩＳＤＮ回線中継装置において、
前記制御手段は、前記２つのＢチャネルのうちの少なくとも一方のＢチャネルの着信に対して応答した後、前記ＩＳＤＮ回線側に割り込みメッセージを送出し、その後、当該Ｂチャネルを切断する前記シーケンスを実行する
ことを特徴とするＩＳＤＮ回線中継装置。
【発明の詳細な説明】
【０００１】
【発明の属する技術分野】
この発明は、例えば火災などの非常事態の発生時に、電話回線を通じて、消防署などの所定の通報先に通報メッセージを送出するようにする通報装置を、ＩＳＤＮ回線に対して接続することができるようにするＩＳＤＮ回線中継装置に関する。
【０００２】
【従来の技術】
例えば、盗難、火災等の非常事態が発生した場合に、非常用押ボタンスイッチやセンサにより起動されて、警察署や消防署などの予め設定された通報先のダイヤル番号を電話回線を通じて送出し、通報先の相手が応答すると、予め記憶されている通報メッセージを送出するようにする非常通報装置が知られている（例えば特公昭６３−３７５４９号公報（特許文献１）等参照）。
【０００３】
この非常通報装置は、アナログ回線用のものが主として用いられており、その通報処理時の動作は、次のようになる。
【０００４】
まず、非常用押ボタンスイッチが押された、あるいは火災センサにより火災が検知されると、通報の起動信号が発生する。この起動信号の発生に応じて、非常通報装置は、回線（アナログ回線）を捕捉し、記憶している「１１０番」や「１１９番」のダイヤル番号のダイヤル送出を行う。そして、通報先である警察署や消防署の応答を確認した後、記憶部に記憶している所定の通報メッセージを、警察署や消防署に送る。これにより、警察署や消防署には、迅速に、かつ、確実に非常事態が伝達される。
【０００５】
しかし、非常通報装置は、一般に、他の電話端末と回線を共有する使用態様となっている場合が多く、このため、非常事態が発生したときに、通報に用いようとする電話回線が話中であったり、丁度、着信中であったりした場合には、当該回線が解放されるまで、通報が遅れる問題がある。
【０００６】
そこで、通報に用いようとするアナログ電話回線が話中などで使用中となっているときに、当該アナログ回線を強制的に開放する回線開放手段をアナログ回線用非常通報装置に設け、迅速に非常通報ができるようにする方策が種々提案されている。
【０００７】
ところで、電話回線として、高速のデータ通信が可能なため、デジタル回線であるＩＳＤＮ回線が使用されている。そして、従来のアナログ回線用の電話端末装置は、ターミナルアダプタをＩＳＤＮ回線との間に介在させることで、このＩＳＤＮ回線に対しても接続することができる。
【０００８】
すなわち、上述したアナログ回線用の非常通報装置をＩＳＤＮ回線に接続できるターミナルアダプタがあれば、ＩＳＤＮ回線用の非常通報装置を、新たに購入しなくても、ＩＳＤＮ回線に対して接続して使用することができる。
【０００９】
しかしながら、アナログ回線用非常通報装置を、ターミナルアダプタを介してＩＳＤＮ回線に接続するシステム構成の場合には、アナログ回線を強制的に開放する回線開放手段がアナログ回線用の非常通報装置に存在しても、それは、まったく無意味である。
【００１０】
そこで、本願の出願人は、特開平１１−１１２６９４号公報（特許文献２）や特開２０００−３４１４４１号公報（特許文献３）として、ＩＳＤＮ回線網とＩＳＤＮ用端末との間の物理的な接続／切断を制御する接続／切断切換回路を設けて、ＩＳＤＮ用端末が使用中であって、ＩＳＤＮ回線の２個のＢチャネルが塞がっている場合には、接続／切断切換回路を強制切断して、アナログ回線用の非常通報装置から警察署や消防署などの通報先への非常通報が迅速に行えるようにしたＩＳＤＮ回線中継装置を提案した。
【００１１】
【特許文献１】
特公昭６３−３７５４９号公報。
【特許文献２】
特開平１１−１１２６９４号公報。
【００１２】
【特許文献３】
特開２０００−３４１４４１号公報。
【００１３】
【発明が解決しようとする課題】
しかしながら、ＩＳＤＮ回線網とＩＳＤＮ用端末側との間を強制切断した場合には、電話会社の規格上、電話局の交換機側では、ＩＳＤＮ用端末側で異常終了したと判断して、９０秒間、ＩＳＤＮ用端末側からの発呼を受け付けない状態になる。つまり、非常通報は、強制切断後、９０秒経過しないと行われないという問題がある。
【００１４】
この発明は、以上の点にかんがみ、ＩＳＤＮ回線網とＩＳＤＮ用端末側との間を強制切断することなく、ＩＳＤＮ回線のＢチャネルの空きを作ることができるようにして、非常通報動作が迅速に行えるようにしたＩＳＤＮ回線中継装置を提供することを目的とする。
【００１５】
【課題を解決するための手段】
上記課題を解決するため、請求項１の発明は、
ＩＳＤＮ回線網と後段のＩＳＤＮ用端末との間に設けられ、起動信号に応じて回線を捕捉し予め設定された通報先に通報メッセージを送出する通報装置を前記ＩＳＤＮ回線網に接続するための装置であって、
前記通報装置の回線捕捉を検出する回線捕捉検出手段と、
前記回線捕捉検出手段で前記通報装置の回線捕捉が検出されたときに、前記ＩＳＤＮ回線の２つのＢチャネルが共に使用中と判別したときには、前記２つのＢチャネルのうちの少なくとも一方のＢチャネルについて、前記ＩＳＤＮ回線側と使用中端末側とに対してＩＳＤＮ回線交換の切断手順に従ったシーケンスを実行し、その後の前記通報装置の回線捕捉を前記回線捕捉検出手段で検出したときに、前記発呼手段による前記通報先への再度の発呼およびその後の通報メッセージの送出を実行するように制御する制御手段と、
を備えることを特徴とするＩＳＤＮ回線中継装置を提供する。
【００１６】
また、請求項２の発明は、請求項１に記載のＩＳＤＮ回線中継装置において、
前記制御手段は、
前記２つのＢチャネルのうちの少なくとも一方のＢチャネルについて、前記ＩＳＤＮ回線側と使用中端末側とに対する前記ＩＳＤＮ回線交換の切断手順に従ったシーケンスを実行する前に、前記一方のＢチャネルにおいて、前記ＩＳＤＮ回線側と前記端末側とに割り込みメッセージを送出する
ことを特徴とする。
【００１７】
また、請求項３の発明は、
ＩＳＤＮ回線網と後段のＩＳＤＮ用端末との間に設けられ、起動信号に応じて回線を捕捉し予め設定された通報先に通報メッセージを送出する通報装置を前記ＩＳＤＮ回線網に接続するための装置であって、
前記通報装置の回線捕捉を検出する回線捕捉検出手段と、
前記回線捕捉検出手段で前記通報装置の回線捕捉が検出されたときに、前記ＩＳＤＮ回線の２つのＢチャネルに着信があったときには、前記２つのＢチャネルのうちの少なくとも一方のＢチャネルについて、着信を受ける端末側に解放完了メッセージを送出すると共に、前記一方のＢチャネルの着信に応答した後、当該Ｂチャネルを切断するＩＳＤＮ回線交換におけるシーケンスを実行し、その後の前記通報装置の回線捕捉を前記回線捕捉検出手段で検出したときに、前記発呼手段による前記通報先への再度の発呼およびその後の通報メッセージの送出を実行するように制御する制御手段と、
を備えることを特徴とするＩＳＤＮ回線中継装置を提供する。
【００１８】
また、請求項４の発明は、請求項３に記載のＩＳＤＮ回線中継装置において、
前記制御手段は、前記２つのＢチャネルのうちの少なくとも一方のＢチャネルの着信に対して応答した後、前記ＩＳＤＮ回線側に割り込みメッセージを送出し、その後、当該Ｂチャネルを切断する前記シーケンスを実行する
ことを特徴とするＩＳＤＮ回線中継装置を提供する。
【００１９】
【作用】
上記の構成の請求項１の発明のＩＳＤＮ回線中継装置においては、通報装置が起動されて、回線捕捉動作をすると、それを検出して回線捕捉動作をし、その後、通報装置における通報先への発呼動作に基づいて、通報先に、ＩＳＤＮの発呼手順に従い発呼動作をする。そして、通報先との間でＩＳＤＮ回線が接続されると、通報装置からの通報メッセージは、このＩＳＤＮ回線中継装置を通じ、ＩＳＤＮ回線を通じて、通報先に送出される。
【００２０】
しかし、ＩＳＤＮ回線の２つのＢチャネルが他の端末によって使用されていて回線が塞がっている（ビジーの状態）ときには、ＩＳＤＮ回線中継装置でＩＳＤＮ発呼手順による発呼動作を行った結果、ＩＳＤＮ回線網からは回線が使用中で塞がっていることを意味する解放完了メッセージが到来する。ＩＳＤＮ回線中継装置の制御手段は、これを受けて、ＩＳＤＮ回線の２つのＢチャネルがビジー状態であることを認識する。
【００２１】
ＩＳＤＮ回線の２つのＢチャネルがビジー状態であることを認識した制御手段は、前記２つのＢチャネルのうちの少なくとも一方のＢチャネルについて、ＩＳＤＮ回線網側と、当該Ｂチャネルを使用中の端末側とに対してＩＳＤＮ回線交換の切換手順に従ったシーケンスを実行する。これにより、ＩＳＤＮ回線網側は、当該一方のＢチャネルは通話が正常に終了したと認識し、また、端末側も終話したと認識して、当該一方のＢチャネルが開放される。
【００２２】
一方、通報装置は、２つのＢチャネルが使用中であるため、一旦、回線開放を行い、その後、回線捕捉および通報のための発呼動作を繰り返す。ＩＳＤＮ回線中継装置は、前記一方のＢチャネルの開放後の通報装置の回線捕捉を受け付け、続いて通報装置での通報先への発呼動作に基づいて、ＩＳＤＮ回線を通じて通報先に発呼を行う。そして、ＩＳＤＮ回線中継装置は、通報先の応答後、通報メッセージを送出するようにする。
【００２３】
したがって、ＩＳＤＮ回線の２つのＢチャネルが使用中で塞がっていても、強制切断することなく、一方のＢチャネルをＩＳＤＮ回線交換の切断手順に従ったシーケンスで、あたかも通話を終話させたようにして当該一方のＢチャネルを開放させて、迅速に通報装置から通報メッセージの送出ができるようになる。この場合、従来の強制切断では９０秒待たなければできなかった通報が、１０秒以内にできるようになる。
【００２４】
請求項２の発明の場合は、ＩＳＤＮ回線側と使用中端末側とに対するＩＳＤＮ回線交換の切断手順に従ったシーケンスを実行する前に、前記使用中の一方のＢチャネルにおいて、前記ＩＳＤＮ回線側と前記端末側とに対して、例えば「非常通報のために、この回線を開放します」などの割り込みメッセージを送出することができる。
【００２５】
また、請求項３の発明においては、非常通報要求があったときに、ＩＳＤＮ回線の２つのＢチャネルが共に着信中であったときに、制御手段は、２つのＢチャネルのうちの少なくとも一方のＢチャネルについて、端末側に解放完了メッセージを送出することにより端末側への着信を停止させると共に、当該一方のＢチャネルの着信に一旦応答し、その後、当該Ｂチャネルを切断するＩＳＤＮ回線交換におけるシーケンスを実行する。これにより、着信があった一方のＢチャネルが正常に開放される。
【００２６】
したがって、この開放されたＢチャネルが用いられて、請求項１の場合と同様にして、非常通報が迅速に行なわれるようになる。
【００２７】
そして、請求項４の発明においては、一方のＢチャネルの着信に応答したときに、例えば「非常通報のために、この回線を開放します」などの割り込みメッセージを送出し、その後、当該Ｂチャネルを切断するシーケンスを実行するようにする。したがって、この請求項４の発明によれば、相手方に対して、当該Ｂチャネルを切断する理由が、割り込みメッセージにより伝達されるというメリットがある。
【００２８】
【発明の実施の形態】
以下、この発明によるＩＳＤＮ回線中継装置の実施の形態を、図を参照しながら説明する。
【００２９】
［第１の実施形態］
図２は、ＩＳＤＮ回線に対する、第１の実施形態のＩＳＤＮ回線中継装置や、非常通報装置、さらには他のＩＳＤＮ用端末の接続態様を示すものである。この第１の実施形態においては、ＩＳＤＮ回線１は、ＤＳＵ（回線終端装置）２を通じて加入者宅内ネットワーク３に接続される。加入者宅内ネットワーク３の、最もＤＳＵ２側には、この実施の形態のＩＳＤＮ回線中継装置１０が接続される。
【００３０】
この第１の実施形態のＩＳＤＮ回線中継装置１０は、デジタルポート１０ｂとアナログポート１０ｃとを備え、デジタルポート１０ｂには、加入者宅内ネットワーク３に接続される他のＩＳＤＮ用端末として、デジタル回線用端末６や７が接続されている。また、ＩＳＤＮ回線中継装置１０のアナログポート１０ｃには、アナログ回線用の非常通報装置４が接続される。この非常通報装置４には、非常用電話機５が接続される。
【００３１】
ＩＳＤＮ回線中継装置１０は、ＩＳＤＮ回線網と加入者宅内ネットワーク３とを接続するための機能と、非常通報装置４をＩＳＤＮ回線網に対して接続するための機能とを備えるとともに、非常通報装置４からの非常通報要求が発生したときに、ＩＳＤＮ回線１の２つのＢチャネルが使用中であるときや、２つのＢチャネルが着信中であったときに、一方のＢチャネルを開放させるようにする機能を備える。
【００３２】
なお、ＩＳＤＮ回線中継装置１０は、非常通報装置４以外のアナログ電話端末を使用できるように、アナログポートをさらに備えるように構成することもできる。
【００３３】
図１は、ＩＳＤＮ回線中継装置１０の構成例を示すもので、ＤＳＵ２に接続される端子１０ａには、回線側インターフェース部１１が接続される。また、加入者宅内ネットワーク３のケーブルに接続されるデジタルポート１０ｂおよび非常通報装置４が接続されるアナログポート１０ｃには、端末側インターフェース部１２が接続される。
【００３４】
回線側インターフェース部１１と端末側インターフェース部１２との間には、送信処理部１３と受信処理部１４とが接続される。回線側インターフェース部１１と、端末側インターフェース部１２と、送信処理部１３と、受信処理部１４とは、システムバス１５を通じて制御部１６により制御される。
【００３５】
また、送信処理部１３および受信処理部１４を伝送される音声データや制御データの流れを監視するためのモニタ部１７が設けられ、送信処理部１３及び受信処理部１４に接続されると共に、システムバス１５に接続される。また、システムバス１５には、後述する割り込みメッセージを送出する音声合成メッセージ発生部１８がさらに接続される。
【００３６】
回線側インターフェース部１１は、ＩＳＤＮ回線１を通じた着信を検知する機能部分、ＩＳＤＮ回線１への発呼を行うための機能部分、ＩＳＤＮ回線１に対する音声データや制御データの授受をする機能部分などを有するほか、この実施形態では、非常通報装置４からの非常通報の要求（例えば、非常通報のための回線捕捉）があったときにＩＳＤＮ回線１の２つのＢチャネルが共に使用中である場合やＩＳＤＮ回線１の２つのＢチャネルが着信中であった場合に、制御部１６の制御にしたがって、前記２つのＢチャネルのうちの一方を開放するために必要な、ＩＳＤＮ回線網側に対する処理を実行するようにする。
【００３７】
端末側インターフェース部１２は、デジタル回線用端末６，７からの回線捕捉や、非常通報装置からの回線捕捉を受け付けて空き回線を捕捉する機能部分、ＩＳＤＮ回線用端末６，７に対する音声データの授受をする機能部分、非常通報装置４からの回線捕捉、通報先のダイヤル番号、通報メッセージに対して、ＩＳＤＮ回線１を通じた非常通報を行うために必要な処理を実行する機能部分を備える。
【００３８】
また、この実施形態では、端末側インターフェース部１２は、非常通報装置４からの非常通報の要求（例えば、非常通報のための回線捕捉）があったときにＩＳＤＮ回線１の２つのＢチャネルが共に使用中である場合やＩＳＤＮ回線１の２つのＢチャネルが着信中であった場合に、制御部１６の制御にしたがって、前記２つのＢチャネルのうちの一方を開放するために必要な、ＩＳＤＮ回線用端末側に対する処理を実行するようにする。
【００３９】
モニタ部１７は、ＩＳＤＮ回線１からの着呼、デジタル回線用端末６，７からの発呼の際には、送信処理部１３や受信処理部１４からＤチャネルデータをモニタし、そのモニタ結果を制御部１６に伝える。
【００４０】
制御部１６は、ＩＳＤＮ回線１からの着呼、デジタル回線用端末６，７からの発呼を、これにより検知するようにする。また、制御部１６は、逆信待機時には、デジタル回線用端末６，７の発呼をモニタ部１７を通じて監視して、当該デジタル回線用端末６，７からの逆信待機中の発呼を検出した場合には、逆信待機中でない、空きのＢチャネルにより、発呼を行なうように制御する。
【００４１】
また、後述するように、制御部１６は、非常通報装置４からの非常通報の要求があったときにＩＳＤＮ回線１の２つのＢチャネルが共に使用中である場合やＩＳＤＮ回線１の２つのＢチャネルが着信中であった場合に、モニタ部１７を通じて送信処理部１３および受信処理部１４を伝送される音声データの流れを監視して、音声データの伝送の隙間を見つけ、割り込みメッセージを挿入する処理を行うようにする。
【００４２】
この例の場合、非常通報装置４は、非常通報動作が起動中であるときには、通報中出力信号を発生する機能を備えるもので、非常通報装置４からのこの通報中出力信号は、図示を省略した端子を通じてＩＳＤＮ回線用中継装置１０の端末側インターフェース部１２に入力される。
【００４３】
非常通報装置４は、この実施の形態では、非常事態の発生に応じた起動信号の発生に応じて、図３のフローチャートに示すような動作を実行する。
【００４４】
すなわち、非常通報装置４は、非常ボタンや火災センサなどの監視の結果としての起動信号の発生を監視する。そして、起動信号の発生を検知すると、図３のフローチャートを実行する。
【００４５】
まず、ステップＳ１０１において回線捕捉動作を行う。次に、ステップＳ１０２において、捕捉した回線において、ダイヤルトーンを検出し、交換機側のダイヤル受入れ準備ができているか否かを検出する。または、このステップＳ１０２で回線捕捉した後、３秒以上の経過を待つ。
【００４６】
そして、ダイヤルトーン検出などにより、交換機側のダイヤル受入れ準備ができていることを確認した後、予め設定されている通報先、つまり、「１１０番」や「１１９番」に自動ダイヤルを行う。次に、ステップＳ１０４に進み、通報先の応答があるか否かを通報先からの応答音声が検出されたかどうかにより判別する。通話先の応答がなければ、ステップＳ１０５に進み、相手不応答を確認する。この相手不応答の確認は、例えば一定時間以上の相手不応答の検出やビジートーンの検出により行うものである。
【００４７】
ステップＳ１０５で相手不応答を確認すると、ステップＳ１０６に進み、一旦回線を開放し、次のステップＳ１０７で４秒以上待機する。この４秒以上の時間は、回線を完全に開放するための時間である。ステップＳ１０７で４秒以上の時間の経過を検出すると、ステップＳ１０１に戻り、通報動作をやり直す。
【００４８】
ステップＳ１０４で相手の応答を確認すると、ステップＳ１０８に進み、非常通報装置のメモリに予め格納されている通報メッセージを、通報先に送出する。そして、通報メッセージの送出後、ステップＳ１０９に進み、捕捉していた回線を一旦開放し、その後、５秒間の逆信信号の待機を行う。すなわち、ステップＳ１１０で、逆信を検出（逆信の着呼を検出）したか否か判別し、逆信を検出しないときには、ステップＳ１１１で５秒間の経過を判別し、逆信待ちの状態で５秒間経過していないときには、ステップＳ１１０に戻って、逆信待ちを継続する。
【００４９】
そして、次のステップＳ１１１で、５秒間の間、逆信が検出できなかったと判別されたときには、ステップＳ１１２に進み、開放していた回線を捕捉して、ステップＳ１０８に戻り、通報メッセージの再送を行う。前述したように、このとき、１１０番や１１９番の通報先は回線を保持しているので、この通報先へのダイヤル送出は行わない。
【００５０】
そして、ステップＳ１１０で逆信を検出すると、ステップＳ１１３に進み、非常通報装置に接続されている非常用電話機５のベルを鳴動させ、次のステップＳ１１４で非常用電話機５でのオフフックによる応答を待つ。そして、非常用電話機５でのオフフックを検出すると、ステップＳ１１５に進み、通報先との相互通話を行い、ステップＳ１１６での非常用電話機５のオンフックの確認により、通報処理終了となる。
【００５１】
次に、上述したＩＳＤＮ回線中継装置１０を経由した非常通報装置４からのＩＳＤＮ回線１を用いた通報動作について、図４〜図９を参照しながら説明する。図４〜図７は、この通報動作におけるＩＳＤＮ回線中継装置１０での動作を説明するためのフローチャートである。このフローチャートの処理は、主として、制御部１６の制御にしたがって行われるものである。
【００５２】
また、図８および図９は、このＩＳＤＮ回線中継装置１０を経由した非常通報装置４からのＩＳＤＮ回線１を用いた通報動作のシーケンスの一例を示すものである。図８のシーケンス図は、非常通報装置４からＩＳＤＮ回線１を通じた通報メッセージの送出を行おうとしたが、ＩＳＤＮ回線の２つのＢチャネルの両方が着信中であった場合の動作シーケンス例を示すものである。また、図９のシーケンス図は、非常通報装置４からＩＳＤＮ回線１を通じた通報メッセージの送出を行おうとしたが、ＩＳＤＮ回線の２つのＢチャネルの両方ともが使用中で塞がっている場合の動作シーケンス例を示すものである。
【００５３】
前述したように、非常ボタンや火災センサに基づく通報の起動が発生すると、非常通報装置４は、通報中出力信号を出力すると共に、回線捕捉動作を行う。
【００５４】
ＩＳＤＮ回線中継装置１０の端末側インターフェース部１２では、非常通報装置４から入力された通報中出力信号を検出し、その検出出力を制御部１６に送る。これにより、制御部１６は、非常通報装置４が通報動作中になったことを認識する。そして、図４〜図７のフローチャートをスタートさせる。
【００５５】
また、ＩＳＤＮ回線中継装置１０では、非常通報装置４の回線捕捉動作を端末側インターフェース部１２に含まれる回線捕捉検出部で検出し、その検出出力を制御部１６に送る。制御部１６は、これにより、非常通報装置４による回線捕捉を検出する（図４のステップＳ２０１）。
【００５６】
そして、制御部１６は、ＩＳＤＮ回線１の２つのＢチャネルが共に着信中であるか否か判別する（ステップＳ２０２）。２つのＢチャネルが着信中であるかどうかは、前述もしたように、モニタ部１７で、回線側インターフェース部１１を通じて受信処理部１４で受信したＤチャネルデータを監視し、その監視結果が制御部１６に供給されることにより基づいて、制御部１６で判別することができる。
【００５７】
ＩＳＤＮ回線１の２つのＢチャネルのうちの少なくとも一方が着信中ではないと判別したときには、ステップＳ２０１での回線捕捉の検出に応じて、制御部１６は、端末側インターフェース部１２に含まれるトーン発生部を制御して、ダイヤルトーン信号を発生させ、アナログポート１０ｃを通じて非常通報装置４に供給させる（ステップＳ２０３）。
【００５８】
非常通報装置４は、このダイヤルトーン信号を検出した後、通報先へダイヤル番号送出をする。ＩＳＤＮ回線中継装置１０では、このダイヤル番号情報が端末側インターフェースに含まれるＰＢレシーバで識別され、制御部１６に送られる。制御部１６は、このダイヤル番号情報に基づいてＩＳＤＮ回線１への発呼動作を行う。すなわち、呼設定メッセージを回線側インターフェース部１１を通じてＩＳＤＮ回線１に送出する（ステップＳ２０４）。
【００５９】
次に、制御部１６は、ＩＳＤＮ回線１の２つのＢチャネルが共に使用されていてビジーであるか否か判別する（ステップＳ２０５）。すなわち、呼設定メッセージを受けたＩＳＤＮ回線網のＩＳＤＮ交換機側は、ＩＳＤＮ回線１の２つのＢチャネルの一方が塞がっていなければ、この呼設定メッセージを受け付けて、呼設定受付メッセージを送出後、呼出メッセージを送ってくるが、ＩＳＤＮ回線１の２個のＢチャネルが使用中で回線が塞がっている場合には、この呼設定メッセージを受け付けることなく、解放完了メッセージを送ってくる。
【００６０】
そこで、ＩＳＤＮ回線中継装置１０の制御部１６は、呼出メッセージを受け取ったときには、ステップＳ２０５で、２個のＢチャネルが使用中ではないと判別し、端末側インターフェース部１２に含まれるトーン発生部を制御して、リングバックトーンを発生させ、これを非常通報装置４に送る（ステップＳ２０６）。
【００６１】
そして、通報先が応答すると、ＩＳＤＮ回線網側からは、応答メッセージが送られてくるので、制御部１６は、これを検知して（ステップＳ２０７）、端末側インターフェース部１２のトーン発生部を制御し、リングバックトーンの発生を停止する（ステップＳ２０８）。その後、前述したように、非常通報装置４は、通報先からの応答音声を検出した後、通報メッセージを送出するので、ＩＳＤＮ回線中継装置１０では、その通報メッセージを端末側インターフェース部１２で受け、送信処理部１３で符号化して回線側インターフェース部１１を通じてＩＳＤＮ回線１に送出し、通報先に送る（ステップＳ２０９）。
【００６２】
以上のようにして、通報メッセージが通報先である警察署や消防署に送出された後、非常通報装置４は、回線を一旦開放して、逆信待ちの状態になる。端末側インターフェース部１２では、非常通報装置４におけるこの逆信待ちのための回線開放を、それに含まれる回線捕捉検出部で検出し、その検出出力を制御部１６に供給する。
【００６３】
制御部１６は、この検出出力により非常通報装置４の回線開放を検知し（ステップＳ２１０）、これと非常通報装置４からの通報中出力信号とから非常通報装置４の逆信待機状態を認識する（ステップＳ２１１）。そして、制御部１６は、逆信待機となるＢチャネルを記憶しつつ、当該Ｂチャネルを開放し、逆信待機状態になる（図５のステップＳ２２１）。
【００６４】
このように、制御部１６で逆信待機中のＢチャネルを記憶しておくのは、逆信待機中にデジタル回線用端末６、７からの回線捕捉があったときに、当該逆信待機中のＢチャネルを、その回線捕捉要求してきたデジタル回線用端末６，７の通信用に割り当ててしまわないようにするためである。すなわち、制御部１６は、前述したように、逆信待機中にデジタル回線用端末６、７からの回線捕捉があったときには、逆信待機中以外の空きのＢチャネルを、当該回線捕捉してきたデジタル回線用端末６，７に割り当てて使用できるようにする。
【００６５】
なお、制御部１６が端末側インターフェース部１２を制御して、デジタル回線用端末６、７とＩＳＤＮ回線１との間を物理的に切断した後、回線を開放し、逆信待機状態になるようにすることにより、デジタル回線用端末６，７からの回線捕捉が逆信待機中は行えないようにすることもできるが、それでは、逆信待機中でない方のＢチャネルが空きである場合には、有効に利用できない。この点、この実施形態によれば、逆信待機中でない方の空きのＢチャネルを、有効に利用できるというメリットがある。
【００６６】
その後、ＩＳＤＮ回線中継装置１０では、通報先からの逆信を監視する状態になる（ステップＳ２２２）が、通報先からの逆信が検出されるまでの逆信待機中においては、他のアナログ回線用端末からの回線捕捉があるか否か監視する（ステップＳ２２３）。
【００６７】
そして、他のアナログ回線用端末で回線捕捉がなされたときには、端末側インターフェース部１２に含まれる回線捕捉検出部でその回線捕捉を検出し、その検出出力を制御部１６に供給する。制御部１６は、当該他のアナログ回線用端末による回線捕捉を検知すると、端末側インターフェース部１２に含まれるトーン発生部を制御して、ビジートーンを当該他のアナログ回線用端末に送出する（ステップＳ２２４）。このため、当該他のアナログ回線用端末の使用者は、回線が塞がっているとしてオンフックをするので、回線は開放される。
【００６８】
このように、逆信待機中に他のアナログ回線用端末で回線捕捉があったとしても、その回線捕捉は拒否されるので、非常通報装置４では、通報先からの逆信を優先的に確実に受けることができる。
【００６９】
そして、その後、通報先が逆信の発呼動作を行うと、その発呼時の呼設定メッセージをＩＳＤＮ回線中継装置１０の制御部１６は、回線インターフェース部１１、受信処理部１４、モニタ部１７を通じてＩＳＤＮ回線網側から受け取る。このとき、制御部１６は、呼設定メッセージに含まれる発番号により、発呼してきた相手が通報先の「１１０番」または「１１９番」であるか否か検出する（ステップＳ２２２）。
【００７０】
そして、制御部１６は、通報中出力信号の検出出力により、非常通報装置４が通報中であることを確認したときには、アナログポート１０ｃからのみ呼出信号を発生させ、その呼出信号を、非常通報装置４に送る（ステップＳ２２５）。これにより、非常通報装置４に接続された非常用電話機５のベルのみが鳴動する。このとき、他のアナログポートに接続されたアナログ回線用端末のベルは鳴動しない。
【００７１】
制御部１６は、これと同時に、呼設定メッセージに含まれる発番号により、発呼してきた相手が通報先の「１１０番」または「１１９番」であることを検出すると、非常用電話機５のオフフックによる応答を待たずに、回線接続の応答メッセージを回線側インターフェース部１１を通じて送出して、通報先からの逆信の着呼に対して応答する。そして、制御部１６は、回線側インターフェース部１１に含まれるトーン発生部を制御して、擬似リングバックトーンを発生させ、これを逆信をしてきた通報先に送るようにする。
【００７２】
その後、非常用電話機５でオフフックによる応答がなされると、この応答による回線捕捉が、端末側インターフェース部１２を通じて制御部１６で検出される（ステップＳ２２６）。すると、制御部１６は、回線側インターフェース部１１のトーン発生部を制御して、擬似リングバックトーンの発生を停止させ、また、端末側インターフェース部１２の呼出信号発生部を制御して、呼出信号の発生を停止させる。そして、ＩＳＤＮ回線１と非常通報装置４を介した非常電話機５との間に通話路を生成する。これにより、非常用電話機５と通報先とは、ＩＳＤＮ回線１を通じての相互通話の状態になる（ステップＳ２２７）。
【００７３】
その後、非常用電話機５で終話動作として電話機のオンフックがなされると、端末側インターフェース部１２に含まれる回線捕捉検出部を通じて制御部１６で終話が検出され（ステップＳ２２８）、回線切断のためのメッセージの交換がなされ、非常通報装置４と通報先との間の回線が切断される（ステップＳ２２９）。以上で、通報動作は終了となる。
【００７４】
［ＩＳＤＮ回線の２つのＢチャネルが着信中に通報起動のとき］
次に、図４のステップＳ２０２で、ＩＳＤＮ回線１の２つのＢチャネルが共に着信中であると判別された場合について説明する。図６は、このように、ＩＳＤＮ回線１の２つのＢチャネルが共に着信中である場合に、非常通報装置４からの通報を優先させるように、Ｂチャネルの空きを生成するための処理ルーチン部分であり、図８のシーケンス図が対応する。
【００７５】
以下の説明においては、主として図８のシーケンス図にそって、図６のフローチャートの各ステップの処理動作について説明する。
【００７６】
すなわち、図８に示すように、ＩＳＤＮ回線１から、２つのＢチャネルＢ１ｃｈおよびＢ２ｃｈに、共に着信があったときに、図４のステップＳ２０１で非常通報装置から非常通報の起動のために回線捕捉があったときには、制御部１６では、先ず、ステップＳ２０２で２つのＢチャネルＢ１ｃｈおよびＢ２ｃｈに、共に着信があると判別するため、端末側インターフェース部１２に含まれるトーン発生部を制御して、ビジートーンを発生させて、アナログポート１０ｃを通じて非常通報装置４に供給させる（図６のステップＳ３０１）。
【００７７】
このビジートーンを受けた非常通報装置４は、回線を開放し、待機状態になる。そして、その後、この例では、４秒経過する毎に、再度、非常通報装置４は回線捕捉を行い、回線捕捉ができるまでそれを繰り返す。なお、この間の非常通報装置４からの回線捕捉の検出動作および非常通報装置４へのダイヤルトーン送出動作は、図４および図６のフローチャート、また、図８のシーケンス図では省略した。
【００７８】
次に、ＩＳＤＮ回線中継装置１０では、２つのＢチャネルＢ１ｃｈ，Ｂ２ｃｈのうちの一方、この例では、Ｂ１ｃｈについて、端末側インターフェース部１２を通じてデジタル回線用端末６，７側に、解放完了メッセージを送る（ステップＳ３０２）。すると、デジタル回線用端末６，７側は、着信中のＢ１ｃｈが切断されたと認識することになる。
【００７９】
次に、ＩＳＤＮ回線中継装置１０の制御部１６は、着信中のＢ１ｃｈに応答し（ステップＳ３０３）、音声合成メッセージ発生部１８を制御して、例えば、「非常通報のために、この回線を開放します」などの割り込みメッセージを発生させると共に、モニタ部１７により送信処理部１３のデータの流れをチェックして、空きの区間に前記割り込みメッセージを挿入して、回線側インターフェース部１１を通じてＩＳＤＮ回線１側に、前記割り込みメッセージを送出する（ステップＳ３０４）。
【００８０】
その後、制御部１６は、当該応答したＢ１ｃｈを切断するために、ＩＳＤＮ回線交換の切換手順に従ったシーケンスを実行する。すなわち、先ず、Ｂ１ｃｈについての切断メッセージを回線側インターフェース部１１を通じてＩＳＤＮ回線１側に送出する（ステップＳ３０５）。ＩＳＤＮ回線網の交換機は、Ｂ１ｃｈについての切断メッセージを受けると、Ｂ１ｃｈについての解放メッセージを送る。制御部１６は、回線側インターフェース部１１を通じて、ＩＳＤＮ回線網側から送られてくる当該解放メッセージの到来を待つ（ステップＳ３０６）。
【００８１】
そして、当該解放メッセージの受信を確認したときには、制御部１６は、回線側インターフェース部１１を通じて、ＩＳＤＮ回線１に解放完了メッセージを送出する（ステップＳ３０７）。
【００８２】
以上により、着信中であった一方のＢチャネルＢ１ｃｈが開放される。この場合、ＩＳＤＮ回線を強制的に切断するのではなく、ＩＳＤＮ回線交換上の切断手順に従って当該ＢチャネルＢ１ｃｈが切断されて開放されるので、非常通報起動されてから１０秒以内で、ＩＳＤＮ回線１のＢチャネルＢ１ｃｈに空きが生成される。
【００８３】
非常通報装置４は、この間、回線捕捉〜回線開放までの動作を繰り返している。ＩＳＤＮ回線中継装置１０の制御部１６では、一方のＢチャネルＢ１ｃｈが開放された後の非常通報装置４の回線捕捉を検出して受け付けると（ステップＳ３０８）、当該ＢチャネルＢ１ｃｈを捕捉し、端末側インターフェース部１２に含まれるトーン発生部を制御して、ダイヤルトーンを発生させ、非常通報装置４に送るようにする（ステップＳ３０９）。
【００８４】
非常通報装置４は、このダイヤルトーン信号を検出した後、通報先へダイヤル番号送出をする。ＩＳＤＮ回線中継装置１０では、端末側インターフェース部１２で、このダイヤル番号情報が識別され、制御部１６に送られる。制御部１６は、このダイヤル番号情報に基づいて、ＢチャネルＢ１ｃｈにおいて、ＩＳＤＮ回線１への発呼動作を行う（ステップＳ３１０）。すなわち、呼設定メッセージを回線インターフェース部１１を通じてＩＳＤＮ回線１に送出する。
【００８５】
これ以後は、図４のステップＳ２０５で、非常通報装置４で通報動作が起動されたときに、ＩＳＤＮ回線１が使用中でない場合と同様となり、通報先の応答を待つ。
【００８６】
すなわち、このときにはＩＳＤＮ回線１はＢチャネルＢ１ｃｈが使用中ではないので、図７に示すように、ＩＳＤＮ回線網側では、通報先の呼出を行うと共に、呼設定受付メッセージを送出後、呼出メッセージをＩＳＤＮ回線中継装置１０に送ってくる。ＩＳＤＮ回線中継装置１０の制御部１６は、この呼出メッセージを受け取ると、端末側インターフェース部１２に含まれるトーン発生部を制御して、リングバックトーンを発生させ、これを非常通報装置４に送る（ステップＳ２０６）。
【００８７】
通報先が応答すると、ＩＳＤＮ回線網側からは、応答メッセージが送られてくるので、ＩＳＤＮ回線中継装置１０の制御部１６は、これを検知して（ステップＳ２０７）、端末側インターフェース部１２のトーン発生部を制御し、リングバックトーンの発生を停止し（ステップＳ２０８）、前述と同様にして、通報動作を行う（ステップＳ２０９）。
【００８８】
すなわち、前述したように、非常通報装置４は、通報先からの応答音声を検出した後、通報メッセージを送出する。この通報メッセージは、ＩＳＤＮ回線中継装置１０の送信処理部１３で符号化されてＩＳＤＮ回線１に送出され、通報先に送られる。
【００８９】
［ＩＳＤＮ回線の２つのＢチャネルが使用中に通報起動のとき］
次に、図４のステップＳ２０５で、ＩＳＤＮ回線１の２つのＢチャネルが共に使用中であると判別された場合について説明する。図７は、ＩＳＤＮ回線１の２つのＢチャネルが共に使用中である場合に、非常通報装置４からの通報を優先させるように、Ｂチャネルの空きを生成するための処理ルーチン部分であり、図９のシーケンス図が対応する。
【００９０】
以下の説明においては、主として図９のシーケンス図にそって、図７のフローチャートの各ステップの処理動作について説明する。
【００９１】
すなわち、図９に示すように、ＩＳＤＮ回線１から、２つのＢチャネルＢ１ｃｈおよびＢ２ｃｈが共に使用中であったときに、図４のステップＳ２０１で非常通報装置から非常通報の起動のために回線捕捉があったときには、制御部１６は、端末側インターフェース部１２に含まれるトーン発生部を制御して、ダイヤルトーンを発生させ、アナログポート１０ｃを通じて非常通報装置４に供給させる。
【００９２】
非常通報装置４は、このダイヤルトーン信号を検出した後、通報先へダイヤル番号送出をする。ＩＳＤＮ回線中継装置１０では、端末側インターフェース部１２で、このダイヤル番号情報が識別され、制御部１６に送られる。制御部１６は、このダイヤル番号情報に基づいて、回線インターフェース部１１を通じてＩＳＤＮ回線１への発呼動作を行う。しかし、このときには、図９に示すように、ＩＳＤＮ回線１は、２つのＢチャネルＢ１ＣＨ、Ｂ２ｃｈが共に使用中であるため、ＩＳＤＮ回線網からは、解放完了メッセージが送られてくる。
【００９３】
このＩＳＤＮ回線網からの解放完了メッセージを受け取ったＩＳＤＮ回線中継装置１０の制御部１６は、端末側インターフェース部１２のトーン発生部を制御して、ビジートーンを発生させ、これを非常通報装置４に送る（ステップＳ４０１）。
【００９４】
このビジートーンを受けた非常通報装置４は、前述した図３のステップＳ１０５において相手不応答を認識して、回線を開放し、待機状態になる。そして、その後、この例では、４秒経過すると、再び、図３のステップＳ１０１〜１０４を行い、そのときも相手不応答であればステップＳ１０５〜１０７を行い、ステップＳ１０１に戻る。つまり、非常通報装置４は、回線捕捉、ダイヤルトーン検出、ダイヤル番号送出、回線開放を含む処理を繰り返す。
【００９５】
なお、この間のＩＳＤＮ回線中継装置１０での回線捕捉検出動作および非常通報装置４へのダイヤルトーン送出動作は、図４および図７のフローチャート、また、図９のシーケンス図では省略した。
【００９６】
次に、ＩＳＤＮ回線中継装置１０の制御部１６は、使用中の一方のＢチャネルＢ１ｃｈの通話路において、その空きの区間に、例えば、「非常通報のために、この回線を開放します」などの割り込みメッセージを挿入して、ＩＳＤＮ回線１側の相手方と、デジタル回線用端末６，７側の両方に、前記割り込みメッセージを聴取させるようにする。
【００９７】
すなわち、制御部１６は、割り込みメッセージを送出する音声合成メッセージ発生部１８を制御して、前記の割り込みメッセージを発生させると共に、モニタ部１７により送信処理部１３および受信処理部１４における使用中の一方のＢチャネルＢ１ｃｈのデータの流れをチェックして、当該使用中の一方のＢチャネルＢ１ｃｈの通話路において、その空きの区間に前記割り込みメッセージを挿入する。この結果、割り込みメッセージは、回線側インターフェース部１１を通じてＩＳＤＮ回線１側に、また、端末側インターフェース部１２を通じてデジタル回線用端末側に、それぞれ送出される（ステップＳ４０２）。
【００９８】
次に、制御部１６は、前記割り込みメッセージを送出した一方のＢチャネルＢ１ｃｈを正常切断するために、ＩＳＤＮ回線交換の切換手順に従ったシーケンスを実行する。
【００９９】
先ず、一方のＢチャネルＢ１ｃｈについての切断メッセージを回線側インターフェース部１１を通じてＩＳＤＮ回線１側に送出する（ステップＳ４０３）。ＩＳＤＮ回線網の交換機は、Ｂ１ｃｈについての切断メッセージを受けると、Ｂ１ｃｈについての解放メッセージを送るようになっているので、制御部１６は、回線側インターフェース部１１を通じて、ＩＳＤＮ回線網側から送られてくる当該解放メッセージの到来を待つ（ステップＳ４０４）。
【０１００】
そして、当該解放メッセージの受信を確認したときには、制御部１６は、回線側インターフェース部１１を通じて、ＩＳＤＮ回線１に解放完了メッセージを送出する（ステップＳ４０５）。
【０１０１】
次に、制御部１６は、一方のＢチャネルＢ１ｃｈについての切断メッセージを端末側インターフェース部１２を通じてデジタル回線用端末６，７側に送出する（ステップＳ４０６）。デジタル回線用端末６，７は、このＢチャネルＢ１ｃｈについての切断メッセージを受けると、Ｂ１ｃｈについての解放メッセージを送出するので、制御部１６は、端末側インターフェース部１２を通じて、デジタル回線用端末６，７側から送られてくる当該解放メッセージの到来を待つ（ステップＳ４０７）。
【０１０２】
そして、当該解放メッセージの受信を確認したときには、制御部１６は、端末側インターフェース部１２を通じて、デジタル回線用端末６，７側に解放完了メッセージを送出する（ステップＳ４０８）。
【０１０３】
以上により、使用中であった一方のＢチャネルＢ１ｃｈが開放される。この場合、ＩＳＤＮ回線を強制的に切断するのではなく、ＩＳＤＮ回線交換上の切断手順に従って当該Ｂ１ｃｈが切断されて開放されるので、非常通報起動から１０秒以内で、ＩＳＤＮ回線１のＢチャネルＢ１ｃｈに空きが生成される。
【０１０４】
非常通報装置４は、この間、前述した回線捕捉〜回線開放までの動作を繰り返している。ＩＳＤＮ回線中継装置１０の制御部１６では、ＢチャネルＢ１ｃｈが開放された後の非常通報装置４の回線捕捉を検出して受け付けると（ステップＳ４０９）、当該ＢチャネルＢ１ｃｈを捕捉し、端末側インターフェース部１２に含まれるトーン発生部を制御して、ダイヤルトーンを発生させ、非常通報装置４に送るようにする（ステップＳ４１０）。
【０１０５】
非常通報装置４は、このダイヤルトーン信号を検出した後、通報先へダイヤル番号送出をする。ＩＳＤＮ回線中継装置１０では、端末側インターフェース部１２で、このダイヤル番号情報が識別され、制御部１６に送られる。制御部１６は、このダイヤル番号情報に基づいて、捕捉したＢチャネルＢ１ｃｈにおいてＩＳＤＮ回線１への発呼動作を行う（ステップＳ４１１）。すなわち、呼設定メッセージをＩＳＤＮ回線１に送出する。
【０１０６】
これ以後は、図４のステップＳ２０５で、非常通報装置４で通報動作が起動されたときに、ＩＳＤＮ回線１が使用中でない場合と同様となり、図８のシーケンスで示したものと全く同様にして、開放された一方のＢチャネルＢ１ｃｈにより通報メッセージ送出動作が実行される。
【０１０７】
以上のようにして、上述した実施形態によれば、ＩＳＤＮ回線の２つのＢチャネルが共に使用中で塞がっているときに、非常通報装置４から非常通報要求が発生した場合には、一方のＢチャネルがＩＳＤＮ回線交換における回線切断の手順に従って切断されて、Ｂチャネルが開放されるので、従来のような強制切断の場合のような異常終了とは異なり、切断後、ＩＳＤＮ回線網側は直ちに端末からの信号を受けられる体制となる。したがって、従来の物理的な強制切断により９０秒以上経過した後しか非常通報ができなかったのが、上述の実施形態によれば、１０秒以内に短縮することができる。
【０１０８】
［第２の実施形態］
上述した第１の実施形態は、非常通報装置がアナログ回線用の場合であったが、この発明は、非常通報装置がデジタル回線用であっても、同様に適用できる。すなわち、図１０は、この第２の実施形態のＩＳＤＮ回線中継装置１００を用いた場合の構成例を示すものである。
【０１０９】
すなわち、この第２の実施形態のＩＳＤＮ回線中継装置１００は、２個のデジタルポート１０ｂおよび１０ｄを備える。そして、デジタルポート１０ｄは、デジタル回線用の非常通報装置８用とする。したがって、図１に示したＩＳＤＮ回線中継装置１００の端末側インターフェース部１２には、デジタルポート１０ｄに接続されたデジタル回線用の非常通報装置８とのインターフェース処理の機能が設けられる。その他は、上述した第１の実施形態と全く同様である。
【０１１０】
この第２の実施形態においては、デジタル回線用の非常通報装置８から非常通報のための回線捕捉要求があったときには、それが制御部１６で検知されるようにされている。
【０１１１】
そして、その際に、ＩＳＤＮ回線１の２つのＢチャネルの少なくとも一方が空いているときには、制御部１６は、当該デジタル回線用の非常通報装置８からの回線捕捉要求を受け付け、当該空きのＢチャネルを非常通報装置８に割り付けるように制御する。
【０１１２】
そこで、非常通報装置８は、当該空きのＢチャネルを用いて、通報先への呼設定メッセージをＩＳＤＮ回線中継装置１００を介してＩＳＤＮ回線１に送出し、通報先の応答を確認した後、通報メッセージをＩＳＤＮ回線中継装置１００を介して通報先の送出する。
【０１１３】
一方、デジタル回線用の非常通報装置８から非常通報のための回線捕捉要求があったときに、２つのＢチャネルが共に使用中であったり、着信中であったりした場合には、制御部１６は、前述した第１の実施の形態の場合と全く同様にして、一方のＢチャネルについて、ＩＳＤＮ交換の手順に従った切断シーケンスを実行し、当該一方のＢチャネルを開放させるようにする。
【０１１４】
したがって、デジタル回線用の非常通報装置８は、この開放されたＢチャネルを用いて、迅速に通報先に非常通報することができる。
【０１１５】
なお、図１０の例では、２個のデジタルポートをＩＳＤＮ回線中継装置に設け、その一方をデジタル回線用の非常通報装置用としたが、デジタルポートは１個であって、当該デジタルポートのデジタル回線用端末の一つして、デジタル回線用の非常通報装置を接続するようにすることもできる。
【０１１６】
ただし、その場合には、制御部１６は、デジタル回線用の非常通報装置の加入者宅内ネットワーク（ＬＡＮ）３上のアドレスを記憶しておき、当該アドレスのデジタル回線用端末からの回線捕捉は、非常通報装置８からの回線捕捉と判別して、上述のような処理を実行するようにするものである。
【０１１７】
［その他の実施の形態］
上述の実施の形態においては、２つのＢチャネルが共に着信中であったとき、また、２つのＢチャネルが共に使用中であったときには、一方のＢチャネルについてＩＳＤＮ回線交換の切換手順に従った切断をするようにするが、その場合の切断する一方のＢチャネルは、予め定めておいてもよいし、任意であってもよい。
【０１１８】
また、２つのＢチャネルの内の一方のＢチャネルのみを切断するのではなく、両方のＢチャネルについてＩＳＤＮ回線交換の切換手順に従った切断をするようにしてもよい。
【０１１９】
【発明の効果】
以上説明したように、この発明によるＩＳＤＮ回線中継装置によれば、通報装置を用いてＩＳＤＮ回線を通じた通報を行う場合において、通報動作の起動時に、ＩＳＤＮ回線の２つのＢチャネルが閉塞している状態のときには、少なくとも一方のＢチャネルを、ＩＳＤＮ回線交換の切換手順に従って切断して開放させるようにするので、当該開放されたＢチャネルを用いて迅速な非常通報が行えるものである。
【０１２０】
そして、この発明によれば、物理的な強制切断ではなく、ＩＳＤＮ回線交換の切換手順に従った切断シーケンスを行うものであるので、当該切断シーケンスを実行する前に、相手方および当該ＩＳＤＮ回線中継装置に接続されている使用中端末側に割り込みメッセージとして、非常通報のために切断する旨のメッセージを事前に流すことができるという効果もある。
【図面の簡単な説明】
【図１】この発明によるＩＳＤＮ回線中継装置の実施の形態のブロック図である。
【図２】この発明によるＩＳＤＮ回線中継装置の使用態様を説明するための図である。
【図３】非常通報装置の動作の例を示すフローチャートである。
【図４】実施の形態のＩＳＤＮ回線中継装置における非常通報時の動作を説明するためのフローチャートの一部である。
【図５】実施の形態のＩＳＤＮ回線中継装置における非常通報時の動作を説明するためのフローチャートの一部である。
【図６】実施の形態のＩＳＤＮ回線中継装置における非常通報時の動作を説明するためのフローチャートの一部である。
【図７】実施の形態のＩＳＤＮ回線中継装置における非常通報時の動作を説明するためのフローチャートの一部である。
【図８】この発明によるＩＳＤＮ回線中継装置を用いた非常通報制御処理の流れを説明するためのシーケンス図である。
【図９】この発明によるＩＳＤＮ回線中継装置を用いた非常通報制御処理の他の例の流れを説明するためのシーケンス図である。
【図１０】この発明によるＩＳＤＮ回線中継装置の使用態様を説明するための図である。
【符号の説明】
１      ＩＳＤＮ回線
４      アナログ回線用の非常通報装置
５      非常用電話機
６、７  デジタル回線用端末
８      デジタル回線用の非常通報装置
１０      ＩＳＤＮ回線中継装置
１１      回線側インターフェース部
１２      端末側インターフェース部
１３      送信処理部
１４      受信処理部
１６      制御部
１７      モニタ部
１８      音声合成メッセージ発生部
【図１】
2004214930.tif 000003
【図２】
2004214930.tif 000004
【図３】
2004214930.tif 000005
【図４】
2004214930.tif 000006
【図５】
2004214930.tif 000007
【図６】
2004214930.tif 000008
【図７】
2004214930.tif 000009
【図８】
2004214930.tif 000010
【図９】
2004214930.tif 000011
【図１０】
2004214930.tif 000012
【手続補正書】
【提出日】平成14年12月27日(2002.12.27)
【手続補正１】
【補正対象書類名】図面
【補正対象項目名】図１０
【補正方法】変更
【補正の内容】
【図１０】
2004214930.tif 000013